(57)【要約】【技術課題】手作業で目印を施す必要がなく、誤って釘打ちが行われるのを防止できる床暖房システムの施工に際して用いられるアルミテープを提供する。【解決手段】小根太３、３ａ入りの温水マット１、１ａを複数枚敷き詰めて施工した際に、この温水マット１、１ａの継ぎ目に挿入された継ぎ目用小根太４の上面を覆うために貼り付けて使用されるアルミテープ１０であって、このアルミテープ１０の表面には、継ぎ目用小根太の位置が判るように着色又は印刷により表示されたストライプ１２を施す。【選択図】　　　　図４
0003096991.tif 000002
【実用新案登録請求の範囲】
【請求項１】
小根太入りの温水マットを複数枚敷き詰めて施工した際に、この温水マットの継ぎ目に挿入された継ぎ目用小根太の上面を覆うために貼り付けて使用されるアルミテープであって、このアルミテープの表面には、裏に位置する継ぎ目用小根太の位置を示す小根太情報が表示されていることを特徴とする温水マットの継ぎ目において用いられるアルミテープ。
【請求項２】
請求項１のアルミテープの裏面には粘着剤とこの粘着剤を保護する離型紙が貼りつけてあり、使用時にこの離型紙を剥して用いるようになっていることを特徴とする温水マットの継ぎ目において用いられるアルミテープ。
【考案の詳細な説明】
【０００１】
【考案の属する技術分野】
本考案は、小根太入りの温水マットを複数枚並べて敷き詰めて施工した際に、この温水マットの継ぎ目に挿入された継ぎ目用小根太の上面を覆うために貼り付けて使用されるアルミテープに関する。
【０００２】
【従来の技術】
床暖房用の温水マットには、端から交互に小根太が挿入されていて、フローリング床材はこの小根太に釘で打ちつけて固定するようになっている。但し、温水マットの上面には、伝熱性を良くするために、全面にアルミ箔が貼り付けてあるため、フローリング床材を釘で打ちつける時、小根太の位置が判らないと、誤ってマット基材（発泡ポリスチレン等）や温水チューブ（架橋ポリエチレン管等）に打ちつけてしまうことがある。
そこで、アルミ箔の表面には、小根太の位置が判るように着色が施されいて、この着色部分に釘がかかるようにすることで打ち間違がいが発生しないようにしている。
【０００３】
しかし、図５に示すように、２枚又はそれ以上の温水マット１、１ａを並べて敷き詰めて施工する場合があり、このとき、温水マット１、１ａの端２、２ａには小根太３、３ａが挿入されていないため、この温水マット１、１ａの継ぎの部分においては、小根太３、３ａの間隔は２倍と空いてしまう。この結果、フローリング床材の支持がこの継ぎの部分において不足するため、別に独立した継ぎ目用小根太４を挿入しながら施工している。
【０００４】
しかし、この継ぎ用小根太４を挿入しただけでは、温水チューブ５、５ａからの放熱分布が継ぎ用小根太４の部分で切れてしまうため、図６に示すように双方の温水マット１、１ａのアルミ箔８、８ａに端７、７ａの部分がかかるようにアルミテープ６を貼りつけている。
【０００５】
しかし、アルミテープ６を小根太４を含めて継ぎ目に貼りつけると、継ぎ目用小根太４がアルミテープ６に隠れてしまい、フローリング床材をこの継ぎ目用小根太４に釘で打ちつけることができなくなる。
【０００６】
そこで、従来は、アルミテープ６を貼りつけた後、このアルミテープ６の表面に、フェルトペン等を用いて継ぎ目用小根太４の位置に沿って着色を施したりしているが、この着色は手作業であることから、着色の端の部分が継ぎ目用小根太４から外れたりすることがある。このように、着色が継ぎ目用小根太４から外れると、位置を誤って釘打ちしてしまうことがあると共に、位置を確かめるために作業が遅れたりすると云う問題がある。また、手でいちいち着色するため、手間がかかる。
【０００７】
【考案が解決しようとする課題】
本考案の目的は、継ぎ目用小根太の位置が正確に判り、いちいち手で継ぎ目用小根太の位置に着色を行ったりしないで済む温水マットの継ぎ目において用いられるアルミテープを提供することである。
【０００８】
【課題を解決するための手段】
上記目的を達成するため、請求項１に記載の考案においては、温水マットの継ぎ目において用いられるアルミテープにおいて、小根太入りの温水マットを複数枚敷き詰めて施工した際に、この温水マットの継ぎ目に挿入された継ぎ目用小根太の上面を覆うために貼り付けて使用されるアルミテープであって、このアルミテープの表面には、裏に位置する継ぎ目用小根太の位置を示す小根太情報が表示されていることを特徴とするものである。
【０００９】
更に、請求項２に記載の考案においては、請求項１に記載の考案において、アルミテープの裏面には粘着剤とこの粘着剤を保護する離型紙が貼りつけてあり、使用時にこの離型紙を剥して用いるようになっていることを特徴とするものである。
【００１０】
【作用】
温水マットを継ぎ合わせて敷き詰めた時、この継ぎ目に挿入された継ぎ目用小根太の位置にアルミテープの位置情報を合わせ、アルミテープの両端が温水マットの表面のアルミ箔にかかるようにしてアルミテープを端から貼り付け、終りの端に合わせてアルミテープをカットして貼りつけを終る。
この結果、継ぎ目用小根太の位置はアルミテープの表面に施された位置情報で良く判るので、誤って釘打ちが行われるのを防ぐことができる。
【００１１】
【実施例】
以下に本考案に係るアルミテープの実施例を図１〜図４に基づいて詳細に説明する。
図１は、長尺のアルミテープをロール状に捲きとり、これを解しながら使用する状態の説明図、図２はアルミテープの斜視図、図３はアルミテープの断面図、図４は継ぎ目においてアルミテープを貼り付けた状態の説明図である。これらの各図において、１０はアルミテープであって、このアルミテープ１０の表面には透明なプラスチックフィルム１１がラミネートしてあり、このプラスチックフィルム１１の裏面には継ぎ目用小根太４の幅に合わせたストライプ（位置情報）１２が印刷で施されている。但し、このストライプ１２は印刷以外にコーティングしても良く、又一色ではなく、多色、あるいは模様化したものであっても良い。また、アルミテープ１０の表面に直接ストライプ１２を施しても良い。
【００１２】
１３はアルミテープ１０の裏面に塗布した粘着剤、１４はこの粘着剤１３の表面に貼り合わせられた離型紙（保護紙）である。このアルミテープ１０を使用する場合には、図３に示すように離型紙１３を指先で矢印ａの方向に剥がし、これを図４に示すように、ストライプ１２を継ぎ目用小根太４に合わせ、両端１０ａ、１０ｂ側が夫々温水マット１、１ａのアルミ箔８、８ａにかかるようにして貼り付けて作業を終る。
【００１３】
【考案の効果】
本考案は以上のように、継ぎ目用アルミテープに継ぎ目用小根太の位置が判る位置情報をあらかじめ施したことにより、従来のようにアルミテープを貼った後、継ぎ目用小根太の位置を示す目印を手作業で施す必要がないので、作業がやり易い。また、位置情報が正確なため、誤って釘打ちが行われるのを防止できる。
【図面の簡単な説明】
【図１】本考案に係るアルミテープの説明図。
【図２】本考案に係るアルミテープの一部を示す説明図。
【図３】アルミテープの断面図。
【図４】本考案に係るアルミテープを用いた状態の説明図。
【図５】温水マットを継いで敷き詰めた状態の説明図。
【図６】従来のアルミテープの使用例の説明図。
【符号の説明】
１、１ａ　温水マット
２、２ａ　端
３、３ａ　小根太
４　継ぎ目用小根太
５、５ａ　温水チューブ
６　アルミテープ
７、７ａ　端
８、８ａ　アルミ箔
１０　アルミテープ
１１　フィルム
１２　ストライプ（目印）
１３　粘着剤
１４　離型紙
【図１】
0003096991.tif 000003
【図２】
0003096991.tif 000004
【図３】
0003096991.tif 000005
【図４】
0003096991.tif 000006
【図５】
0003096991.tif 000007
【図６】
0003096991.tif 000008
【手続補正書】
【提出日】平成15年5月6日(2003.5.6)
【手続補正１】
【補正対象書類名】明細書
【補正対象項目名】全文
【補正方法】変更
【補正の内容】
【考案の詳細な説明】
【実用新案登録請求の範囲】
【請求項１】小根太入りの温水マットを複数枚敷き詰めて施工した際に、この温水マットの継ぎ目に挿入された継ぎ目用小根太の上面を覆うために貼り付けて使用されるアルミテープであって、このアルミテープの表面には、継ぎ目用小根太の幅に合わせたストライプが表示されていることを特徴とする温水マットの継ぎ目において用いられるアルミテープ。
【請求項２】請求項１のアルミテープの裏面には粘着剤とこの粘着剤を保護する離型紙が貼りつけてあり、使用時にこの離型紙を剥して用いるようになっていることを特徴とする温水マットの継ぎ目において用いられるアルミテープ。
【考案の詳細な説明】
【０００１】
【考案の属する技術分野】
本考案は、小根太入りの温水マットを複数枚並べて敷き詰めて施工した際に、この温水マットの継ぎ目に挿入された継ぎ目用小根太の上面を覆うために貼り付けて使用されるアルミテープに関する。
【０００２】
【従来の技術】
床暖房用の温水マットには、端から交互に小根太が挿入されていて、フローリング床材はこの小根太に釘で打ちつけて固定するようになっている。但し、温水マットの上面には、伝熱性を良くするために、全面にアルミ箔が貼り付けてあるため、フローリング床材を釘で打ちつける時、小根太の位置が判らないと、誤ってマット基材（発泡ポリスチレン等）や温水チューブ（架橋ポリエチレン管等）に打ちつけてしまうことがある。
そこで、アルミ箔の表面には、小根太の位置が判るように着色が施されいて、この着色部分に釘がかかるようにすることで打ち間違がいが発生しないようにしている。
【０００３】
しかし、図５に示すように、２枚又はそれ以上の温水マット１、１ａを並べて敷き詰めて施工する場合があり、このとき、温水マット１、１ａの端２、２ａには小根太３、３ａが挿入されていないため、この温水マット１、１ａの継ぎの部分においては、小根太３、３ａの間隔は２倍と空いてしまう。この結果、フローリング床材の支持がこの継ぎの部分において不足するため、別に独立した継ぎ目用小根太４を挿入しながら施工している。
【０００４】
しかし、この継ぎ用小根太４を挿入しただけでは、温水チューブ５、５ａからの放熱分布が継ぎ用小根太４の部分で切れてしまうため、図６に示すように双方の温水マット１、１ａのアルミ箔８、８ａに端７、７ａの部分がかかるようにアルミテープ６を貼りつけている。
【０００５】
しかし、アルミテープ６を小根太４を含めて継ぎ目に貼りつけると、継ぎ目用小根太４がアルミテープ６に隠れてしまい、フローリング床材をこの継ぎ目用小根太４に釘で打ちつけることができなくなる。
【０００６】
そこで、従来は、アルミテープ６を貼りつけた後、このアルミテープ６の表面に、フェルトペン等を用いて継ぎ目用小根太４の位置に沿って着色を施したりしているが、この着色は手作業であることから、着色の端の部分が継ぎ目用小根太４から外れたりすることがある。このように、着色が継ぎ目用小根太４から外れると、位置を誤って釘打ちしてしまうことがあると共に、位置を確かめるために作業が遅れたりすると云う問題がある。また、手でいちいち着色するため、手間がかかる。
【０００７】
【考案が解決しようとする課題】
本考案の目的は、継ぎ目用小根太の位置が正確に判り、いちいち手で継ぎ目用小根太の位置に着色を行ったりしないで済む温水マットの継ぎ目において用いられるアルミテープを提供することである。
【０００８】
【課題を解決するための手段】
上記目的を達成するため、請求項１に記載の考案においては、温水マットの継ぎ目において用いられるアルミテープにおいて、小根太入りの温水マットを複数枚敷き詰めて施工した際に、この温水マットの継ぎ目に挿入された継ぎ目用小根太の上面を覆うために貼り付けて使用されるアルミテープであって、このアルミテープの表面には、継ぎ目用小根太の幅に合わせたストライプが表示されていることを特徴とするものである。
【０００９】
更に、請求項２に記載の考案においては、請求項１に記載の考案において、アルミテープの裏面には粘着剤とこの粘着剤を保護する離型紙が貼りつけてあり、使用時にこの離型紙を剥して用いるようになっていることを特徴とするものである。
【００１０】
【作用】
温水マットを継ぎ合わせて敷き詰めた時、この継ぎ目に挿入された継ぎ目用小根太の位置にアルミテープのストライプを合わせ、アルミテープの両端が温水マットの表面のアルミ箔にかかるようにしてアルミテープを端から貼り付け、終りの端に合わせてアルミテープをカットして貼りつけを終る。
この結果、継ぎ目用小根太の位置はアルミテープの表面に施されたストライプで良く判るので、誤って釘打ちが行われるのを防ぐことができる。
【００１１】
【実施例】
以下に本考案に係るアルミテープの実施例を図１〜図４に基づいて詳細に説明する。
図１は、長尺のアルミテープをロール状に捲きとり、これを解しながら使用する状態の説明図、図２はアルミテープの斜視図、図３はアルミテープの断面図、図４は継ぎ目においてアルミテープを貼り付けた状態の説明図である。これらの各図において、１０はアルミテープであって、このアルミテープ１０の表面には透明なプラスチックフィルム１１がラミネートしてあり、このプラスチックフィルム１１の裏面には継ぎ目用小根太４の幅に合わせたストライプ１２が印刷で施されている。但し、このストライプ１２は印刷以外にコーティングしても良く、又一色ではなく、多色、あるいは模様化したものであっても良い。また、アルミテープ１０の表面に直接ストライプ１２を施しても良い。
【００１２】
１３はアルミテープ１０の裏面に塗布した粘着剤、１４はこの粘着剤１３の表面に貼り合わせられた離型紙（保護紙）である。このアルミテープ１０を使用する場合には、図３に示すように離型紙１３を指先で矢印ａの方向に剥がし、これを図４に示すように、ストライプ１２を継ぎ目用小根太４に合わせ、両端１０ａ、１０ｂ側が夫々温水マット１、１ａのアルミ箔８、８ａにかかるようにして貼り付けて作業を終る。
【００１３】
【考案の効果】
本考案は以上のように、継ぎ目用アルミテープに継ぎ目用小根太の位置が判るストライプをあらかじめ施したことにより、従来のようにアルミテープを貼った後、継ぎ目用小根太の位置を示す目印を手作業で施す必要がないので、作業がやり易い。また、ストライプが正確なため、誤って釘打ちが行われるのを防止できる。
【図面の簡単な説明】
【図１】本考案に係るアルミテープの説明図。
【図２】本考案に係るアルミテープの一部を示す説明図。
【図３】アルミテープの断面図。
【図４】本考案に係るアルミテープを用いた状態の説明図。
【図５】温水マットを継いで敷き詰めた状態の説明図。
【図６】従来のアルミテープの使用例の説明図。
【符号の説明】
１、１ａ　温水マット
２、２ａ　端
３、３ａ　小根太
４　継ぎ目用小根太
５、５ａ　温水チューブ
６　アルミテープ
７、７ａ　端
８、８ａ　アルミ箔
１０　アルミテープ
１１　フィルム
１２　ストライプ（目印）
１３　粘着剤
１４　離型紙